(57)【要約】【課題】  デジタル放送を良好に受信可能であり、電力の浪費を防止可能なデジタル放送受信装置の提供。【解決手段】  ある周波数の符号化信号を受信するアンテナ１０及びＲＦチューナ１２と、受信された符号化信号を復号処理する復号部１６と、受信された信号の誤りを訂正する誤り訂正部１８と、誤り訂正の結果に基づいてＲＦチューナ１２が受信する周波数の設定を変更する判別制御部２８と、からデジタル放送受信装置を構成し、誤り訂正後に残存する誤りの割合が所定値Ｒ１以上となり、この状態が所定時間Ｔ１以上継続したら、ＲＦチューナ１２を停止する。【選択図】  図１
2007104165.tif 000002
【特許請求の範囲】
【請求項１】
符号化された符号化信号のうち設定された周波数の符号化信号を受信する受信手段と、
前記受信手段によって受信された符号化信号を復号する復号手段と、
前記復号手段によって行われる復号の処理において、受信された信号の誤りを訂正する誤り訂正手段と、
前記誤り訂正手段による誤りの訂正の処理結果に基づき、前記受信手段の設定を変更して別の周波数の符号化信号を受信手段に受信させる周波数変更処理、又は、前記受信手段による符号化信号の受信を停止する信号受信停止処理を実行する受信制御手段と、を備えることを特徴とするデジタル放送受信装置。
【請求項２】
前記誤り訂正手段の誤りの訂正において訂正できなかった誤りの割合が所定値以上に達した場合に、前記受信制御手段が前記周波数変更処理又は前記信号受信停止処理を実行することを特徴とする請求項１に記載のデジタル放送受信装置。
【請求項３】
前記誤り訂正手段がリードソロモン復号を使って受信された信号の誤りを訂正し、この誤りの訂正において訂正できなかった誤りの割合が所定値以上に達するとともに、誤りの割合が所定値以上に達した状態が所定時間以上にわたって継続する場合に、前記受信制御手段が前記信号受信停止処理を実行することを特徴とする請求項１又は請求項２に記載のデジタル放送受信装置。
【請求項４】
現在移動中か否かを判別する移動判別手段を備え、
前記移動判別手段が現在移動中と判別するとともに、前記誤り訂正手段の誤りの訂正において訂正できなかった誤りの割合が所定の速さ以上で増加した場合に、前記受信制御手段が前記信号受信停止処理を実行することを特徴とする請求項１又は請求項２に記載のデジタル放送受信装置。
【請求項５】
現在移動中か否かを判別する移動判別手段と、
前記移動判別手段が現在移動中と判別するとともに、前記誤り訂正手段の誤りの訂正において訂正できなかった誤りの割合が所定の速さ以上で増加した場合に、前記受信制御手段による前記信号受信停止処理の実行をユーザに促す勧告手段と、を備えることを特徴とする請求項１又は請求項２に記載のデジタル放送受信装置。
【請求項６】
前記受信制御手段による前記信号受信停止処理の実行をユーザに告知する告知手段を備えることを特徴とする請求項１から請求項５のうちのいずれか１項に記載のデジタル放送受信装置。
【請求項７】
現在の位置情報を取得する現在位置情報取得手段を備え、
取得された現在の位置情報と地理的情報とに基づき、前記受信制御手段が前記周波数変更処理を停止することを特徴とする請求項１から請求項６のうちのいずれか１項に記載のデジタル放送受信装置。
【請求項８】
現在の位置情報を取得する現在位置情報取得手段を備え、
取得された現在の位置情報と地理的情報とに基づき、前記受信制御手段が前記信号受信停止処理を実行することを特徴とする請求項１から請求項７のうちのいずれか１項に記載のデジタル放送受信装置。
【請求項９】
前記受信制御手段が前記信号受信停止処理を実行する場合に、停止直前の受信手段の設定を記憶する設定記憶手段を備え、
前記受信手段が符号化信号の受信を再開する場合に、前記記憶手段により記憶された受信手段の設定が参照されることを特徴とする請求項１から請求項８のうちのいずれか１項に記載のデジタル放送受信装置。
【発明の詳細な説明】
【技術分野】
【０００１】
本発明は、デジタル放送された信号を受信するデジタル放送受信装置にかかり、特に移動しながら信号を受信するデジタル放送受信装置に関する。
【背景技術】
【０００２】
デジタルテレビ放送では、送信局がリードソロモン符号と畳み込み符号によって信号を符号化して送信し、受信装置がこの符号化された信号を受信して復号する。近年、車両に搭載されたテレビや携帯電話等の受信装置を用いてデジタルテレビ放送を視聴することが可能になっている。デジタルテレビ放送では、放送される信号の周波数が放送エリアによって異なる場合がある。このため、ユーザが携帯電話等によってデジタルテレビ放送を受信しつつ移動する場合、ユーザが信号の周波数の異なるエリアに移動し、その結果、デジタルテレビ放送を受信できなくなることがある。
【０００３】
そこで、信号の周波数が変わってデジタルテレビ放送を受信できなくなるといった不具合を解消するために、新たな技術が提唱されている。例えば、受信装置が、デジタルテレビ放送を受信しながら受信信号の強度をモニタし、この強度が所定の閾値以下になったとき、受信のための周波数の設定を変更し、別の周波数の信号を強い強度で受信する（特許文献１を参照）。ユーザは、デジタルテレビ放送をそのまま継続して視聴できる。
【特許文献１】特開２００４−２８９４６４号公報
【発明の開示】
【発明が解決しようとする課題】
【０００４】
デジタルテレビ放送の受信装置が符号化された信号を受信して復号する際、符号化された信号の誤り訂正が行われる。信号の誤り訂正とは、雑音や発生したデータの誤りを訂正し、本来受信すべきデータに修復することをいう。受信装置は、ビタビ復号及びリードソロモン復号を用いて二重の誤り訂正を行う。受信された信号の強度が弱くても、受信装置が誤り訂正を行えば、ユーザはデジタルテレビ放送を良好な状態で視聴できる。この点でデジタルテレビ放送はアナログ放送と異なり、デジタルテレビ放送の受信状態は受信信号の強度の強弱によって決まるとは言えない。すなわち、受信信号の強度を指標として用いても、デジタルテレビ放送の受信状態が正しく判断されているとは言えないのである。
【０００５】
そこで、本発明者は、デジタルテレビ放送の受信状態を判断する指標として、誤り訂正後に残存する誤りを利用し、デジタルテレビ放送の受信状態を良好に維持することを発明し、既に特許出願している（ただし、この出願は、本特許出願の出願時において未公開である。）。受信装置がある周波数の信号の受信エリア内にいる場合、誤り訂正後に残存する誤りは少ない。受信装置がこの受信エリア外へ出てしまうと、誤り訂正後に残存する誤りが増加し、ユーザはデジタルテレビ放送を視聴できなくなってしまう。
【０００６】
しかし、誤り訂正後に残存する誤りが増加する現象は、受信装置が信号の受信エリア外へ出る場合にだけ生じるのではない。受信装置が信号の受信エリア内にいる場合であっても、受信装置がトンネルや地下空間等に進入すれば、信号が受信装置に届きにくくなり、誤り訂正後に残存する誤りが増加する。また、受信装置が大きな建築物の陰に進入した場合にも、信号の受信が建築物によって妨げられ、誤り訂正後に残存する誤りが増加する。このような場合は、受信装置が受信信号の周波数をいくら変更してみたところで、その受信状態は一向に改善されない。ただ徒に、バッテリーの電力が消費されるだけである。
【０００７】
本発明は、このような点に鑑みてなされたものであって、デジタル放送を良好に受信可能であり、電力の浪費を防止可能なデジタル放送受信装置を提供することを目的とする。
【課題を解決するための手段】
【０００８】
本発明は、その課題を解決するために以下のような構成をとる。
［構成１］
構成１のデジタル放送受信装置は、符号化された符号化信号のうち設定された周波数の符号化信号を受信する受信手段と、前記受信手段によって受信された符号化信号を復号する復号手段と、前記復号手段によって行われる復号の処理において、受信された信号の誤りを訂正する誤り訂正手段と、前記誤り訂正手段による誤りの訂正の処理結果に基づき、前記受信手段の設定を変更して別の周波数の符号化信号を受信手段に受信させる周波数変更処理、又は、前記受信手段による符号化信号の受信を停止する信号受信停止処理を実行する受信制御手段と、を備える。
【０００９】
受信手段が、ある設定された周波数の符号化信号を受信し、復号手段が、受信された符号化信号を復号し、誤り訂正手段が、受信された信号の誤りを訂正する。誤り訂正手段は、ビタビ復号やリードソロモン復号を使って誤り訂正を行うことができる。デジタル放送受信装置が設定された周波数の符号化信号の受信エリア外へ出てしまうと、誤り訂正手段が誤り訂正を行っても、訂正できずに残存する誤りが増加する。訂正できずに残存する誤りが増加すると、受信手段は、設定されている周波数の符号化信号を良好に受信できなくなる。そこで、受信制御手段が周波数変更処理を実行し、受信手段の設定を変更すれば、受信手段は、新たに設定された他の周波数の符号化信号を良好に受信できるようになる。
【００１０】
また、デジタル放送受信装置が符号化信号を良好に受信できない場所、例えば、トンネルや地下空間、あるいは、大きな建築物の陰等に進入した場合、誤り訂正手段が誤り訂正を行っても、訂正できずに残存する誤りが増加する。このような場合、受信制御手段が周波数変更処理を実行し、受信手段の設定を変更しても、受信手段は符号化信号を良好に受信できない。そこで、受信制御手段が信号受信停止処理を実行し、受信手段による符号化信号の受信を停止する。受信手段が符号化信号を良好に受信できないような場合に、受信手段が空しく稼動し続けることが防止され、電力の浪費も防止される。
【００１１】
［構成２］
構成２のデジタル放送受信装置は、構成１に記載のデジタル放送受信装置であって、前記誤り訂正手段の誤りの訂正において訂正できなかった誤りの割合が所定値以上に達した場合に、前記受信制御手段が前記周波数変更処理又は前記信号受信停止処理を実行する。
【００１２】
デジタル放送受信装置が、ある設定された周波数の符号化信号の受信エリア外へ出たり、符号化信号を良好に受信できない場所に進入した場合、誤り訂正手段が誤り訂正を行っても、訂正できずに残存する誤りの割合が増加して所定値以上に達する。訂正できずに残存する誤りの割合が増加して所定値以上に達したか否かに基づき、受信制御手段は周波数変更処理又は信号受信停止処理を実行する。
なお、誤りの割合と比較される所定値は、擬似エラーフリーとなる１×１０−１１を基準として選定できる。
【００１３】
［構成３］
構成３のデジタル放送受信装置は、構成１又は構成２に記載のデジタル放送受信装置であって、前記誤り訂正手段がリードソロモン復号を使って受信された信号の誤りを訂正し、この誤りの訂正において訂正できなかった誤りの割合が所定値以上に達するとともに、誤りの割合が所定値以上に達した状態が所定時間以上にわたって継続する場合に、前記受信制御手段が前記信号受信停止処理を実行する。
【００１４】
デジタル放送受信装置が符号化信号を良好に受信できない場所に進入した場合、誤り訂正手段が誤り訂正を行っても、訂正できずに残存する誤りの割合が増加して所定値以上に達する。そして、デジタル放送受信装置がこのような場所にいる間、受信制御手段が周波数変更処理を実行し、受信手段の設定を変更してみたところで、受信手段は符号化信号を良好に受信できない。そこで、このような状態が所定時間以上にわたって継続する場合、受信制御手段が信号受信停止処理を実行する。受信手段が符号化信号を良好に受信できないような場合に、受信手段が空しく稼動し続けることが防止され、電力の浪費も防止される。
なお、受信手段が符号化信号の受信を停止するときの基準となる所定時間は、任意の長さを選定できる。例えば、分単位の長さとすることができる。
【００１５】
［構成４］
構成４のデジタル放送受信装置は、構成１又は構成２に記載のデジタル放送受信装置であって、現在移動中か否かを判別する移動判別手段を備え、前記移動判別手段が現在移動中と判別するとともに、前記誤り訂正手段の誤りの訂正において訂正できなかった誤りの割合が所定の速さ以上で増加した場合に、前記受信制御手段が前記信号受信停止処理を実行する。
【００１６】
移動判別手段が、デジタル放送受信装置が現在移動中であるか否かを判別する。例えば、ＧＰＳ（Ｇｒｏｂａｌ  Ｐｏｓｉｔｉｏｎｉｎｇ  Ｓｙｓｔｅｍ）を用いれば、デジタル放送受信装置が現在移動中であるか否かが容易に判別される。また、ＰＨＳや携帯電話が基地局から取得する情報を用いれば、デジタル放送受信装置の位置が容易に特定される。この特定された位置の変化を検出すれば、デジタル放送受信装置が現在移動中であるか否かが容易に判別される。デジタル放送受信装置が携帯電話に搭載されている場合、携帯電話の基地局のエリアに関する情報を取得して利用することが好ましい。さらに、ＦＭ多重放送から取得される情報を用いてデジタル放送受信装置の位置を特定することも可能である。
【００１７】
デジタル放送受信装置が、ある周波数の符号化信号を受信しつつ地上を移動し、そのまま、その符号化信号の受信エリア外へ出る場合、デジタル放送受信装置が受信エリアの端へ近づくに従って、受信する符号化信号中のノイズが増加する。そして、誤り訂正手段によって訂正できずに残存する誤りの割合が徐々に増加する。また、デジタル放送受信装置が、符号化信号を受信できる地上から符号化信号を良好に受信できない場所に進入する場合、誤り訂正によって訂正できずに残存する誤りの割合が一気に増加する。両方の場合を比較すると、デジタル放送受信装置が符号化信号の受信エリア外へ出る場合よりも、デジタル放送受信装置が符号化信号を良好に受信できない場所に進入する場合の方が、残存する誤りの割合の増加速度が速い。誤りの割合の増加速度に基づいて、デジタル放送受信装置が符号化信号を良好に受信できない場所に進入したか否かを判別できる。
【００１８】
ビタビ復号による誤り訂正後に残存する誤りの割合と、リードソロモン復号による誤り訂正後に残存する誤りの割合とを両方参照して、誤り訂正手段によって訂正できずに残存する誤りの割合の増加速度を判断することも可能である。
誤りの割合の増加速度が所定の速さ以上となった場合、デジタル放送受信装置が符号化信号を良好に受信できない場所に進入したと判断し、受信制御手段が信号受信停止処理を実行し、受信手段による符号化信号の受信を停止する。受信手段が符号化信号を良好に受信できないような場合に、受信手段が空しく稼動し続けることがなくなり、電力の浪費が防止される。
【００１９】
なお、デジタル放送受信装置がＧＰＳ機能を併せ持つ場合、ＧＰＳの受信の可否によって、デジタル放送受信装置がどのような場所にいるかを判断できる。すなわち、ＧＰＳの受信を行えない場所はトンネルや地下空間であることが多く、ＧＰＳの受信の可否が、デジタル放送受信装置がどのような場所にいるかを判断する一つの指標となり得る。
【００２０】
［構成５］
構成５のデジタル放送受信装置は、構成１又は構成２に記載のデジタル放送受信装置であって、現在移動中か否かを判別する移動判別手段と、前記移動判別手段が現在移動中と判別するとともに、前記誤り訂正手段の誤りの訂正において訂正できなかった誤りの割合が所定の速さ以上で増加した場合に、前記受信制御手段による前記信号受信停止処理の実行をユーザに促す勧告手段と、を備える。
【００２１】
デジタル放送受信装置がトンネルや地下空間等に進入すると、符号化信号を急に受信できなくなるが、トンネル等から出さえすれば直ちに符号化信号を受信可能となる。デジタル放送受信装置が符号化信号を良好に受信できない場所に進入した場合、誤り訂正手段で訂正できずに残存する誤りの割合が所定の速さ以上で増加し、勧告手段が受信制御手段による信号受信停止処理の実行をユーザに促す。ユーザは、デジタル放送受信装置が符号化信号を良好に受信できない場所にいる時間の長さを判断し、受信制御手段による信号受信停止処理を実行するか否かを決定する。
【００２２】
例えば、デジタル放送受信装置が符号化信号を良好に受信できない場所に長時間いるとユーザが判断した場合、ユーザは受信制御手段による信号受信停止処理を実行し、受信手段による符号化信号の受信を停止し、電力の浪費を防止する。また、デジタル放送受信装置が符号化信号を良好に受信できない場所にいる時間が短時間であるとユーザが判断した場合、ユーザは受信制御手段による信号受信停止処理を実行せず、受信手段による符号化信号の受信をそのまま継続する。デジタル放送受信装置が符号化信号を良好に受信できない場所から出てしまえば、受信手段は直ちに符号化信号を受信する。
【００２３】
なお、勧告手段が受信制御手段による信号受信停止処理をユーザに促す場合、勧告手段は、視覚的方法、聴覚的方法、その他のユーザの感覚を利用した方法を用いることができる。例えば、勧告手段は、メッセージの表示や放送、表示装置の点灯や点滅、ブザー音、バイブレータの振動等を利用する。
【００２４】
［構成６］
構成６のデジタル放送受信装置は、構成１から構成５のうちのいずれかの構成に記載のデジタル放送受信装置であって、前記受信制御手段による前記信号受信停止処理の実行をユーザに告知する告知手段を備えることを特徴とする。
【００２５】
告知手段が信号受信停止処理の実行をユーザに告知するので、ユーザは、受信手段が符号化信号の受信を停止したことを容易に知ることができる。
なお、告知手段が信号受信停止処理の実行をユーザに告知する場合、告知手段は、視覚的方法、聴覚的方法、その他のユーザの感覚を利用した方法を用いることができる。
【００２６】
［構成７］
構成７のデジタル放送受信装置は、構成１から構成６のうちのいずれかの構成に記載のデジタル放送受信装置であって、現在の位置情報を取得する現在位置情報取得手段を備え、取得された現在の位置情報と地理的情報とに基づき、前記受信制御手段が前記周波数変更処理を停止する。
【００２７】
現在位置情報取得手段が現在の位置情報を取得し、取得した現在の位置情報と地理的情報とを対比すれば、デジタル放送受信装置が現在どのような場所にいるかが容易にわかる。地理的情報とは、例えば、デジタル放送受信装置が符号化信号を受信できない地理的範囲に関する情報である。地理的情報を有するコンピュータや自動車のナビゲーション装置等を用いることができる。デジタル放送受信装置が符号化信号を良好に受信できない場所にいることがわかれば、受信制御手段が周波数変更処理を停止する。受信手段が符号化信号を良好に受信できないような場合に、周波数変更処理が空しく実行され続けることがなくなり、電力の浪費が防止される。
【００２８】
コンピュータや自動車のナビゲーション装置等は、全国の地理的情報を常に有している必要はなく、現在位置周辺の地理的情報を有していれば足りる。例えば、現在位置情報取得手段が取得した現在の位置情報に基づき、コンピュータや自動車のナビゲーション装置等が、現在位置周辺の地理的情報をネットワーク回線経由でダウンロードできればよい。
なお、デジタル放送受信装置が、取得した現在の位置情報と地理的情報とを対比し、この結果に基づいて、受信制御手段が周波数変更処理を自動的に停止できる。また、デジタル放送受信装置が、取得した現在の位置情報と地理的情報とをユーザに示し、ユーザが受信制御手段による周波数変更処理を手動で停止することも可能である。
【００２９】
［構成８］
構成８のデジタル放送受信装置は、構成１から構成７のうちのいずれかの構成に記載のデジタル放送受信装置であって、現在の位置情報を取得する現在位置情報取得手段を備え、取得された現在の位置情報と地理的情報とに基づき、前記受信制御手段が前記信号受信停止処理を実行する。
【００３０】
現在位置情報取得手段が取得した現在の位置情報と地理的情報とを対比すれば、デジタル放送受信装置が現在どのような場所にいるかが容易にわかる。地理的情報を有するコンピュータや自動車のナビゲーション装置等を用いて、デジタル放送受信装置が符号化信号を良好に受信できない場所にいることがわかれば、受信制御手段が信号受信停止処理を実行する。受信手段が空しく稼動し続けることがなくなり、電力の浪費が防止される。
【００３１】
コンピュータ等は、現在位置周辺の地理的情報を有していれば足りる。例えば、現在位置情報取得手段が取得した現在の位置情報に基づき、コンピュータ等が現在位置周辺の地理的情報をネットワーク回線経由でダウンロードできればよい。
なお、デジタル放送受信装置が、取得した現在の位置情報と地理的情報とを対比し、この結果に基づいて、受信制御手段が信号受信停止処理を自動的に実行できる。また、デジタル放送受信装置が、取得した現在の位置情報と地理的情報とをユーザに示し、ユーザが受信制御手段による信号受信停止処理を手動で実行することも可能である。
【００３２】
［構成９］
構成９のデジタル放送受信装置は、構成１から構成８のうちのいずれかの構成に記載のデジタル放送受信装置であって、前記受信制御手段が前記信号受信停止処理を実行する場合に、停止直前の受信手段の設定を記憶する設定記憶手段を備え、前記受信手段が符号化信号の受信を再開する場合に、前記記憶手段により記憶された受信手段の設定が参照される。
【００３３】
デジタル放送受信装置が符号化信号を受信できない場所に進入し、受信手段が符号化信号の受信を停止した後、デジタル放送受信装置が符号化信号を受信できる場所に再び出てくると、ユーザは受信手段による符号化信号の受信を再開させる。符号化信号の受信を再開する際、受信制御手段が周波数変更処理を闇雲に繰り返して良好に受信できる周波数を探すのでは、時間がかかってしまう。また、ユーザは、同じ番組を引き続き視聴したいと考えることが多い。符号化信号の受信停止時と再開時に、デジタル放送受信装置が同じ周波数の符号化信号の受信エリア内にいる場合、受信停止直前の受信手段の設定をそのまま用いれば、受信手段は符号化信号の受信を直ちに再開できる。また、受信再開時に、デジタル放送受信装置がそれまで受信していた周波数の符号化信号の受信エリア外に出てしまっている場合、受信停止直前の受信手段の設定を参照すれば、受信手段は同系列の放送の周波数の符号化信号を直ちに受信できる。ユーザは、同じデジタル放送番組の視聴を簡単かつ迅速に再開でき便利である。
【発明を実施するための最良の形態】
【００３４】
本発明に係るデジタル放送受信装置の実施の形態を図を参照しつつ説明する。
図１は、本発明の一実施形態であるデジタル放送受信装置の構成を示すブロック図、図２は、エリア別チャンネル情報の一例を示す説明図、図３は、デジタル放送受信装置の動作を説明するフローチャートである。以下、「デジタル放送受信装置」を単に「受信装置」という。
【００３５】
図１に示すように、受信装置１は、アンテナ１０、ＲＦ（Ｒａｄｉｏ  Ｆｒｅｑｕｅｎｃｙ）チューナ１２、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調部１４、復号部１６、ＭＰＥＧ（Ｍｏｖｉｎｇ  Ｐｉｃｔｕｒｅ  Ｅｘｐｅｒｔｓ  Ｇｒｏｕｐ）デコード部２０、表示部２２、音声出力部２４、誤り率検出部２６、判別制御部２８、ＧＰＳ受信部３０、携帯通信部３２、エリア別チャンネル情報保持部３４を備えている。なお、受信装置１は自動車に搭載され移動可能に構成されている。
【００３６】
アンテナ１０及びＲＦチューナ１２は、符号化された符号化信号のうち設定された周波数の信号を受信可能に構成されている。以下、「符号化された符号化信号」のことを「デジタルテレビ信号」という。
ＯＦＤＭ復調部１４は、アンテナ１０及びＲＦチューナ１２によって受信されたデジタルテレビ信号を復調可能に構成されている。
【００３７】
復号部１６は、ＯＦＤＭ復調部１４によって復調されたデジタル信号を復号可能に構成されている。復号部１６は誤り訂正部１８を有する。誤り訂正部１８は、ビタビ復号及びリードソロモン復号を使って受信されたデジタルテレビ信号の誤りを訂正可能に構成されている。具体的に説明すると、誤り訂正部１８は、パリティチェックによって誤りを検出し、検出された誤りの数を計算し、検出された誤りがあるビットを計算し、検出された誤りを訂正する構成となっている。
【００３８】
誤り訂正部１８の出力中には、訂正された誤りのデータと、訂正できずに残存する誤りのデータとが含まれる。誤り訂正部１８から出力されたデータにはチェックビットという情報が付加されており、チェックビットによって訂正された誤りのデータであるか、あるいは訂正できなかった誤りのデータであるかが区別可能に構成されている。
なお、リードソロモン復号を用いた誤り訂正では、誤り訂正部１８が、処理対象のデータを所定の長さに区切ってブロックを生成し、ブロックごとにチェックビットを追加し、ブロックごとに誤りを訂正する。誤り訂正部１８は、バイト単位で誤りを訂正可能であり、１バイト中の全ビットが誤っている場合であってもこれを訂正できる。
【００３９】
ＭＰＥＧデコード部２０は、誤り訂正された信号を復号し、表示部２２と音声出力部２４へ出力可能に構成されている。表示部２２と音声出力部２４は、デジタルテレビ放送の映像を表示し、音声を流す構成となっている。また、表示部２２と音声出力部２４は、受信装置１の状態をユーザに告知可能に構成されている。
誤り率検出部２６は、誤り訂正部１８の出力を用いて誤り率を計算し、計算した誤り率を判別制御部２８へ出力可能に構成されている。なお、誤り率とは、誤り訂正部１８でのリードソロモン復号を使った誤り訂正において、訂正できずに残存する誤りの割合のことをいう。誤り率がデータのブロックごとに計算される。
【００４０】
判別制御部２８には、ＧＰＳ受信部３０、携帯通信部３２及びエリア別チャンネル情報保持部３４が接続されている。
ＧＰＳ受信部３０は受信装置１の位置情報を検出可能に構成されている。
携帯通信部３２は携帯電話の基地局のエリアに関する情報を取得し、受信装置１の位置情報を検出可能に構成されている。
【００４１】
エリア別チャンネル情報保持部３４は、エリア別チャンネル情報を有している。エリア別チャンネル情報とは、デジタルテレビ信号の受信エリアや、受信エリアに対応した周波数等が記録されたデータテーブルである。エリア別チャンネル情報保持部３４は、ＧＰＳ受信部３０が検出した受信装置１の位置情報や携帯通信部３２が取得した基地局のエリア情報に基づいて、エリア別チャンネル情報をネットワーク回線からダウンロード可能に構成されている。
【００４２】
図２にエリア別チャンネル情報の一例を示す。エリア別チャンネル情報には、携帯通信部３２に位置情報を送信した基地局を識別するための基地局ＩＤ、基地局ＩＤが示す基地局に対応する対応エリア、対応エリアの範囲を示す緯度及び経度、対応エリア内で放送されるデジタルテレビ放送のチャンネル情報、各チャンネルを放送する局を識別するための局ＩＤ、チャンネルが放送に使用する対応周波数が記録されている。
【００４３】
判別制御部２８は設定記憶部３６を有しており、ＲＦチューナ１２の設定に関する情報を記憶可能に構成されている。
判別制御部２８は、誤り率検出部２６が計算した誤り率に基づいて、デジタルテレビ信号の受信状態を判別し、受信すべきデジタルテレビ信号の周波数を選定し、この選定に基づいてＲＦチューナ１２の設定を変更するように構成されている。
【００４４】
アンテナ１０及びＲＦチューナ１２が受信手段をなし、復号部１６が復号手段をなし、誤り訂正部１８が誤り訂正手段をなす。表示部２２及び音声出力部２４が告知手段をなし、判別制御部２８が受信制御手段をなす。ＧＰＳ受信部３０が現在位置情報取得手段をなすとともに、移動判別手段をなす。携帯通信部３２も、現在位置情報取得手段をなすとともに、移動判別手段をなす。設定記憶部３６が設定記憶手段をなす。
【００４５】
本実施の形態に係る受信装置１は上記のように構成されており、次に、その作用を説明する。
受信装置１を搭載している自動車はある周波数のデジタルテレビ信号の受信エリア内におり、ＲＦチューナ１２はこの周波数のデジタルテレビ信号を受信するように設定されている。
【００４６】
ＧＰＳ受信部３０又は携帯通信部３２が受信装置１の現在の位置情報を検出する。この現在の位置情報は緯度と経度とによって表されている。検出された受信装置１の位置情報に基づいて、エリア別チャンネル情報保持部３４が現在位置周辺のエリア別チャンネル情報をネットワーク回線からダウンロードする。
アンテナ１０及びＲＦチューナ１２がデジタルテレビ信号を受信し、ＯＦＤＭ復調部１４がデジタルテレビ信号を復調し、復号部１６が復調されたデジタル信号を復号する。誤り訂正部１８がデジタルテレビ信号の誤りを訂正する。ＭＰＥＧデコード部２０が誤り訂正されたデジタルテレビ信号を復号し、表示部２２と音声出力部２４へ出力し、ユーザがデジタルテレビ放送を視聴する。
【００４７】
誤り率検出部２６が、誤り訂正部１８の出力を用いてデジタルテレビ信号の誤り率をブロックごとに計算する。計算された誤り率は判別制御部２８に渡され、判別制御部２８が誤り率に基づいて受信すべきデジタルテレビ信号の周波数を新たに選定し、この選定に基づいてＲＦチューナ１２の設定を変更する。以下、図３を参照しつつ、判別制御部２８によるＲＦチューナ１２の設定変更を説明する。
【００４８】
誤り率検出部２６が誤り率の計算を開始し（ステップＳ１）、判別制御部２８が誤り率と所定値Ｒ１とを比較する（ステップＳ２）。
誤り率が所定値Ｒ１未満である場合（ステップＳ２：Ｎｏ）、判別制御部２８は、受信装置１はデジタルテレビ信号を良好に受信していると判断する。ＲＦチューナ１２の設定はそのまま維持され、判別制御部２８が、次のブロックの誤り率と所定値Ｒ１とを比較する（ステップＳ２）。
【００４９】
誤り率が所定値Ｒ１以上に達した場合（ステップＳ２：Ｙｅｓ）、判別制御部２８は、受信装置１の位置情報、エリア別チャンネル情報、及び、設定記憶部３６に記憶されているＲＦチューナ１２の設定を参照し、受信可能なデジタルテレビ信号の周波数を新たに選定し、この選定に従ってＲＦチューナ１２の設定を変更する（ステップＳ３）。すなわち、判別制御部２８が、周波数変更処理を実行する。
【００５０】
次いで、判別制御部２８は、受信装置１の位置情報とエリア別チャンネル情報を参照し、受信装置１がデジタルテレビ信号を受信可能なエリア外にいるか否かを判断する（ステップＳ４）。
受信装置１がデジタルテレビ信号を受信可能なエリア外にいる場合（ステップＳ４：Ｙｅｓ）、受信装置１はデジタルテレビ信号を受信できない。そこで、判別制御部２８が受信装置１によるデジタルテレビ信号の受信を停止する。すなわち、判別制御部２８が、信号受信停止処理を実行する。判別制御部２８は、信号受信停止処理の実行を表示部２２と音声出力部２４からユーザに告知し、設定記憶部３６が受信停止直前のＲＦチューナ１２の設定を記憶する（ステップＳ５）。受信装置１がデジタルテレビ信号を受信できないのに、受信装置１が稼動し続けることがなくなり、電力の浪費が防止される。
【００５１】
受信装置１がデジタルテレビ信号を受信可能なエリア内にいる場合（ステップＳ４：Ｎｏ）、判別制御部２８は、誤り率が所定値Ｒ１以上に達した状態が所定時間Ｔ１以上継続するか否かを判断する（ステップＳ６）。
誤り率が所定値Ｒ１以上に達した状態が所定時間Ｔ１未満で終わった場合（ステップＳ６：Ｎｏ）、受信装置１はデジタルテレビ信号を良好に受信可能な状態となっている。そして、判別制御部２８は、新たなブロックの誤り率と所定値Ｒ１とを比較する（ステップＳ２）。
【００５２】
誤り率が所定値Ｒ１以上に達した状態が所定時間Ｔ１以上継続する場合（ステップＳ６：Ｙｅｓ）、受信装置１はデジタルテレビ信号を受信可能なエリア内にいるが、トンネルや地下空間等にいると考えられる。受信装置１はトンネルや地下空間等ではデジタルテレビ信号を受信できない。したがって、判別制御部２８が信号受信停止処理を実行して受信装置１によるデジタルテレビ信号の受信を停止し、信号受信停止処理の実行を表示部２２と音声出力部２４からユーザに告知する。また、設定記憶部３６が受信停止直前のＲＦチューナ１２の設定を記憶する（ステップＳ５）。受信装置１がデジタルテレビ信号を受信できないのに、受信装置１が稼動することがなくなり、電力の浪費が防止される。
【００５３】
受信装置１がデジタルテレビ信号を受信可能な場所へ出てきたと判断される場合、ユーザは受信装置１によるデジタルテレビ放送の受信を再開する（ステップＳ７：Ｙｅｓ）。受信再開に当たっては、判別制御部２８が設定記憶部３６に記憶されているＲＦチューナ１２の設定を参照し、ＲＦチューナ１２の設定を受信停止直前の設定と同じ設定にする。ユーザは、受信停止まで視聴していたデジタルテレビ放送を直ちに視聴できる。
【００５４】
また、受信装置１が受信停止時まで受信していた周波数のデジタルテレビ信号の受信エリア外へ出てしまっている場合、判別制御部２８が設定記憶部３６に記憶されているＲＦチューナ１２の設定とエリア別チャンネル情報とを参照し、同系列のデジタルテレビ信号の周波数を探し出す。ＲＦチューナ１２がデジタルテレビ信号の受信を再開したら、判別制御部２８は新たなブロックの誤り率と所定値Ｒ１とを比較する（ステップＳ２）。
【００５５】
受信装置１がデジタルテレビ信号を受信可能な場所にいないと判断される場合（ステップＳ７：Ｎｏ）、ユーザは、受信装置１によるデジタルテレビ信号の受信を停止したまま待機させておく（ステップＳ８）。
なお、本実施の形態において、誤り率が所定値Ｒ１以上に達した状態が所定時間Ｔ１以上継続するか否かを、判別制御部２８が判断し、この結果に基づいて、受信装置１がトンネルや地下空間等にいるか否かを判断している。このような判断を行う代わりに、デジタルテレビ信号を受信できない受信不可エリアに関する情報を利用してもよい。
【００５６】
受信不可エリアに関する情報をデータテーブル化して記載した受信不可エリアテーブルの一例を図４に示す。受信不可エリアテーブルは、デジタルテレビ信号を受信できない場所（受信不可エリア）の名称（受信不可エリア名称）、受信不可エリアの緯度と経度の概略範囲、受信不可エリアの登録ＩＤ、受信不可エリアで受信できない基地局のＩＤ（対応基地局ＩＤ）についての情報を有する。
【００５７】
判別制御部２８は、ＧＰＳ受信部３０又は携帯通信部３２が検出する受信装置１の位置情報と、受信不可エリアのテーブルとを対比して、受信装置１がどのような場所にいるかを容易に知ることができる。受信装置１がどのような場所にいるかがわかれば、判別制御部２８は、受信装置１がデジタルテレビ信号を受信できるか否かについても容易に知ることができる。そして、判別制御部２８は、周波数変更処理や信号受信停止処理を実行できる。
【００５８】
以上のように、判別制御部２８が、ＧＰＳ受信部３０又は携帯通信部３２が検出する受信装置１の位置情報と、受信不可エリアのテーブルとを対比し、受信装置１がデジタルテレビ信号を受信できるか否かを自動的に判断する構成とすることができる。また、判別制御部２８が、ＧＰＳ受信部３０又は携帯通信部３２が検出する受信装置１の位置情報と、受信不可エリアのテーブルのデータとを、同一の地図上に表示する構成としてもよい。ユーザがこの表示を見て、受信装置１がデジタルテレビ信号を受信できるか否かを判断し、判別制御部２８に周波数変更処理や信号受信停止処理を実行させればよい。
【００５９】
判別制御部２８が、ＧＰＳ受信部３０又は携帯通信部３２が検出する受信装置１の位置情報と、自動車に搭載されたナビゲーションシステムの情報とを利用し、受信装置１が現在どのような場所にいるのかを判断してもよい。ナビゲーションシステムの地図は様々な地理的情報を有しているので、判別制御部２８は受信装置１が現在いる場所を容易に判断できる。そして、判別制御部２８は、周波数変更処理や信号受信停止処理を実行できる。
【００６０】
また、判別制御部２８が、ＧＰＳ受信部３０又は携帯通信部３２が検出する受信装置１の位置情報を、自動車に搭載されたナビゲーションシステムの地図上に表示してもよい（図５を参照）。ＧＰＳ受信部３０等が検出する受信装置１の位置情報は緯度と経度の情報であるが、判別制御部２８が、緯度と経度の情報をナビゲーションシステムの地図のＸ−Ｙ座標上に表示することは容易である。ユーザはこの表示を見て、受信装置１がデジタルテレビ信号を受信できるか否かを判断できる。そして、ユーザは、判別制御部２８に周波数変更処理や信号受信停止処理を実行させればよい。
【００６１】
さらに、判別制御部２８は、ＧＰＳ受信部３０が信号を受信できるか否かの情報を用いて、受信装置１がデジタルテレビ信号を受信できるか否かを判断できる。ＧＰＳ受信部３０が信号を受信できない場所は、トンネルや地下空間等であり、受信装置１がデジタルテレビ信号を受信できない場所と重複することが多い。したがって、ＧＰＳ受信部３０が信号を受信できるか否かの情報は、受信装置１がデジタルテレビ信号を受信できるかどうかを判断する際の指標の一つとなり得る。
【００６２】
但し、ＧＰＳ受信部３０が受信する周波数帯の電波の直進性は、デジタルテレビ放送で用いられるＵＨＦ波やＶＨＦ波の直進性よりも強い。ＧＰＳ受信部３０が信号を受信できない場合であっても、受信装置１がデジタルテレビ信号を受信できる場合もあり得る。したがって、ＧＰＳ受信部３０による信号の受信の可否のみに基づいて、受信装置１がどのような場所にいるかを判断することは好ましくない。ＧＰＳ受信部３０による信号の受信の可否は、他の情報と組み合わせて用いるべきである。
【図面の簡単な説明】
【００６３】
【図１】本発明の一実施形態であるデジタル放送受信装置の構成を示したブロック図である。
【図２】エリア別チャンネル情報の一例を示した説明図である。
【図３】デジタル放送受信装置の動作を説明するためのフローチャートである。
【図４】受信不可エリアのテーブルの一例を示した説明図である。
【図５】受信装置の位置情報をナビゲーションシステムの地図上に示した説明図である。
【符号の説明】
【００６４】
１  受信装置、１０  アンテナ、１２  ＲＦチューナ、１４  ＯＦＤＭ復調部、１６  復号部、１８  誤り訂正部、２０  ＭＰＥＧデコード部、２２  表示部、２４  音声出力部、２６  誤り率検出部、２８  判別制御部、３０  ＧＰＳ受信部、３２  携帯通信部、３４  エリア別チャンネル情報保持部、３６  設定記憶部
【図１】
2007104165.tif 000003
【図２】
2007104165.tif 000004
【図３】
2007104165.tif 000005
【図４】
2007104165.tif 000006
【図５】
2007104165.tif 000007